(57)【要約】  【課題】  バックドア側からの水滴の滴下位置を正確に規制できるようにして、車体側のデザインの自由度を高めることのできるバックドアの排水構造を提供する。  【解決手段】  バックドア本体２のコーナ部にガイド部材７を取り付ける。このガイド部材７には、バックドア本体２の周縁部外側方向に幅を持つ水受壁９と、この水受壁９の外端部からバックドア本体前面側に突出するダム壁１０を形成する。水受壁９とダム壁１０はバックドア本体２のドア側辺からドア上辺に跨るように連続して設ける。水受壁９には、水受壁９を貫通して水滴をバックドア本体裏面側に案内する貫通孔１２ａ，１２ｂを形成する。ガイド部材７の、少なくとも貫通孔１２ａ，１２ｂの周縁にバックドア本体裏面側に突出するガイド壁１１を形成し、貫通孔１２ａ，１２ｂを通過した水滴をドア開口側の排水部に滴下させる。  【選択図】        図２
2006327327.tif 000002
【特許請求の範囲】
【請求項１】
車体後面のドア開口に上下方向に開閉可能に設けられたバックドアにあって、そのバックドアを上方に跳ね上げ開放した際に、バックドア本体の前面側から流れ落ちた水滴をバックドア本体の側縁で捕捉して、その水滴を前記ドア開口の周縁の排水部に滴下させるバックドアの排水構造において、
バックドア本体の周縁部外側方向に幅を持つ水受壁と、この水受壁の外端部からバックドア本体前面側に突出するダム壁とを備えた断面形状を、バックドア本体の周縁部のうちのドア側辺からドア上辺に跨るように連続して設け、
前記水受壁に、水受壁を貫通して水滴をバックドア本体裏面側に案内する貫通孔を形成するとともに、
少なくともこの貫通孔の周縁に、バックドア本体裏面側に突出するガイド壁を形成したことを特徴とするバックドアの排水構造。
【請求項２】
前記貫通孔を水受壁に複数形成したことを特徴とする請求項１に記載のバックドアの排水構造。
【請求項３】
前記貫通孔を長孔状に形成したことを特徴とする請求項１または２に記載のバックドアの排水構造。
【請求項４】
前記ガイド壁を、バックドア本体の周縁部に沿って連続して形成するとともに、前記ガイド壁の突出高さを、前記貫通孔の形成位置近傍に向かって漸増させたことを特徴とする請求項１〜３のいずれに記載のバックドアの排水構造。
【発明の詳細な説明】
【技術分野】
【０００１】
この発明は、車両後面に配置される跳ね上げ式のバックドアの排水構造に関するものである。
【背景技術】
【０００２】
ワゴン車等のバックドアを有する車両においては、雨天時等にバックドアを上方に跳ね上げ開放した際に、バックドアの前面に付着した雨水等の水滴がバックドア本体の側部に回り込むのを防止するための排水構造が設けられている。
【０００３】
この排水構造としては、例えば、ドア側辺に沿う捕捉溝を有するガイド部材がバックドア本体に取り付けられたものが知られている（特許文献１，２等参照）。
この排水構造は、捕捉溝を有するガイド部材がドアパネルの側縁に取り付けられ、バックドアを上方に跳ね上げ開放したとき、バックドア本体の前面から側部に流れ落ちた水滴を捕捉溝に集め、その捕捉溝を通して排水するようになっている。具体的には、ガイド部材の捕捉溝は、バックドアのドア側辺の上端近傍まで連続しており、ドアパネルの跳ね上げによって最低位になったドア上部側の端末からドア開口側の水受部（排水部）に滴下させる。
【特許文献１】特開２００４−２０３０７１号公報
【特許文献２】特開２００４−２１７１５２号公報
【発明の開示】
【発明が解決しようとする課題】
【０００４】
しかし、この従来の排水構造においては、ガイド部材に形成された捕捉溝の端部の開口が、バックドアの跳ね上げ開放時に、ドア開口側の水受部の上方に臨むようになっているため、捕捉溝に流れ込む水滴の流量によってドア開口側の水滴の滴下位置にバラツキが生じる。このため、従来においては、ドア開口側の水受部の周囲への水滴の飛散を防止するために水受部を拡大しなければならず、車両のレイアウト上不利となっていた。
【０００５】
そこでこの発明は、バックドア側からの水滴の滴下位置を正確に規制できるようにして、車体側のデザインの自由度を高めることのできるバックドアの排水構造を提供しようとするものである。
【課題を解決するための手段】
【０００６】
上記の課題を解決するための手段として、請求項１に記載の発明は、車体後面のドア開口（例えば、後述の実施形態におけるドア開口４）に上下方向に開閉可能に設けられたバックドア（例えば、後述の実施形態におけるバックドア１）にあって、そのバックドアを上方に跳ね上げ開放した際に、バックドア本体（例えば、後述の実施形態におけるバックドア本体２）の前面側から流れ落ちた水滴をバックドア本体の側縁で捕捉して、その水滴を前記ドア開口の周縁の排水部に滴下させるバックドアの排水構造において、バックドア本体の周縁部外側方向に幅を持つ水受壁（例えば、後述の実施形態における水受壁９）と、この水受壁の外端部からバックドア本体前面側に突出するダム壁（例えば、後述の実施形態におけるダム壁１０）とを備えた断面形状を、バックドア本体の周縁部のうちのドア側辺からドア上辺に跨るように連続して設け、前記水受壁に、水受壁を貫通して水滴をバックドア本体裏面側に案内する貫通孔（例えば、後述の実施形態における貫通孔１２ａ，１２ｂ）を形成するとともに、少なくともこの貫通孔の周縁に、バックドア本体裏面側に突出するガイド壁（例えば、後述の実施形態におけるガイド壁１１）を形成するようにした。
【０００７】
この発明の場合、水受壁とダム壁がバックドア本体のドア側辺からドア上辺にかけて連続して設けられているため、バックドアの跳ね上げ開放時にバックドア本体の前面側から周縁部に流れた水滴は水受壁とダム壁によって捕捉され、水受壁に形成された貫通孔を通してバックドア本体の裏面側に案内された後、同裏面側に突出するガイド壁の内側を伝いそのガイド壁の先端からドア開口側の所定位置に滴下する。そして、貫通孔の外側位置には、裏面側に突出するガイド壁が形成されているため、貫通孔からの周囲への水滴の飛散がこのガイド壁によって規制される。
【０００８】
請求項２に記載の発明は、請求項１に記載の発明において、前記貫通孔を水受壁に複数形成するようにした。
この場合、貫通孔が複数形成されているため、一つ当たり貫通孔の面積を大きくすることなく、水受壁とダム壁に捕捉された水滴がダム壁を乗り越えてオーバーフローする不具合を無くすことができる。
【０００９】
請求項３に記載の発明は、請求項１または２に記載の発明において、前記貫通孔を長孔状に形成するようにした。
この場合、貫通孔の長孔形状に作用する表面張力によって貫通孔を通過する水滴の流量が制限される。
【００１０】
請求項４に記載の発明は、請求項１〜３のいずれかに記載の発明において、前記ガイド壁を、バックドア本体の周縁部に沿って連続して形成するとともに、前記ガイド壁の突出高さを、前記貫通孔の形成位置近傍に向かって漸増させるようにした。
この場合、ガイド壁の突出高さが連続して変化するため、ガイド壁を伝った水滴が貫通孔の形成位置の近傍まで確実に案内される。このため、ガイド壁を伝った水滴をもドア開口側の所定位置に正確に滴下させることができる。
【発明の効果】
【００１１】
この発明によれば、バックドア本体のドア側辺からドア上辺にかけて連続する水受壁とダム壁によって水滴を捕捉し、その水滴を、水受壁に形成された貫通孔を通してバックドア本体裏面側に誘導するとともに、ガイド壁によって貫通孔を通過した水滴を滴下位置へと案内することができるため、バックドア側からの水滴の滴下位置及び滴下量を常に正確に規制することができる。したがって、ドア開口側の排水部を小さくできることから、車体側のデザインの自由度をより高めることができる。
【発明を実施するための最良の形態】
【００１２】
以下、この発明の一実施形態を、図１〜図６を参照して説明する。
図１は、バックドア１を有するワゴンタイプの車両の背面図であり、図２は、バックドア１を跳ね上げた状態における図１のＡ方向から見た斜視図である。バックドア１は、バックドア本体２の上端部中央がヒンジ３を介して車体後面のドア開口４の上部に支持され、ヒンジ３を中心としてドア開口４に対して開閉可能となっている。バックドア本体２は車外側のパネル材であるスキン（符号省略）と、車室内側のフレーム材（符号省略）が接合されて成るドアパネル５と、ドアパネル５の上部に設けられたドアガラス６とを備えている。この実施形態の場合、ドアガラス６はドアパネル５の車外側の露出部分と略同幅のものが用いられ、バックドア本体２の略上半部の車外側はドアガラス６のみによって構成されている。なお、図２においては省略されているが、バックドア本体２とドア開口４の間にはガスダンパが介装され、このガスダンパによってバックドア本体２の開放状態が維持されるようになっている。
【００１３】
このバックドア１においては、バックドア本体２のドア側辺からドア上辺に跨る車体左右の上部コーナに、バックドア１の跳ね上げ時に、バックドア本体２の前面側に付着している雨水等の水滴をドア開口４側の所定位置に滴下させるための樹脂製のガイド部材７が取り付けられている。このガイド部材７は、ドアガラス６の裏面側に取り付けられるが、その外縁部は、図２〜図４に示すようにドアガラス６に略沿い、かつ同ガラス６よりも一回り大きい外形に形成されている。
【００１４】
また、ガイド部材７のドアガラス６よりも内側に位置される部分は取付基部８とされ、この実施形態の場合、取付基部８がドアガラス６の裏面に接着されるとともに、ドアガラス６をドアパネル５に接合する際にドアガラス６とドアパネル５の間に挟みこまれている。ただし、ガイド部材７の取付基部８は、ドアガラス６とドアパネル５の間に挟み込まずにドアガラス６の裏面に接着するだけであっても良い。この場合には、ドアパネル５の軽量化を図ることが可能になるとともに、ガイド部材７の取付も容易になる。
【００１５】
ガイド部材７は、取付基部８の外側領域（ドアガラス６の外形を超えて外側に延出する領域）が水受壁９とされ、この水受壁９の外側に、水受壁９に対してバックドア本体前面側に突出するダム壁１０と、バックドア本体裏面側に突出するガイド壁１１が一体に形成されている。ダム壁１０とガイド壁１１は水受壁９の外周側を囲み、ダム壁１０は、ドアガラス６の外周端部とともに、ドア側辺からドア上辺に亙る溝状の水捕捉部を形成している。また、水受壁９のコーナ付近には、その水受壁９を上下方向に貫通する一対の貫通孔１２ａ，１２ｂが形成されている。この実施形態の場合、図３に示すように一方の貫通孔１２ａはドア上辺寄り位置に長孔状に形成され、他方の貫通孔１２ｂはドア側辺寄り位置に真円状に形成されている。ガイド壁１１は、水受壁９からの突出高さが貫通孔１２ａ，１２ｂの形成されているコーナ部付近に向かって漸増するように形成されている（図５，図６参照）。
【００１６】
一方、ドア開口４のうちの、バックドア跳ね上げ時に貫通孔１２ａ，１２ｂの直下に位置される部位には、貫通孔１２ａ，１２ｂを通して下方に滴下した水滴を捕獲し、車外に排出するための図２に示すような排水部１３が設けられている。
【００１７】
また、この実施形態の場合、ガイド部材７の上辺側の端部はヒンジ３位置まで延び、バックドア本体２の周縁モール１４が突き合わされている。ガイド部材７のヒンジ３側の端部はヒンジ３方向に若干突出し、この突出部分において、ダム壁１０がヒンジ３方向に屈曲してヒンジ３上面側から流れ落ちた水滴を周縁モール１４の端末とともに水受壁９上に案内するようになっている。さらに、ガイド部材７の側辺側の端末部は、上辺側と同様に周縁モール１４に突き合わされている。
【００１８】
以上のようにこの車両においては、水受壁９とダム壁１０を備えた断面がバックドア本体２の側辺から上辺にかけて連続するようにガイド部材７によって形成され、水受壁９のコーナ付近に貫通孔１２ａ，１２ｂが形成されているため、バックドア１の跳ね上げ開放時には、ドアガラス６の前面等から滴下した水滴を水受壁９とダム壁１０によって捕捉し、水受壁９を貫通する貫通孔１２ａ，１２ｂを通過させ、さらにガイド壁１１による案内によってドア開口４側の排水部１３に正確に滴下させることができる。
【００１９】
このとき、下方に突出するガイド壁１１は貫通孔１２ａ，１２ｂを通過した水滴をドア開口４側の正確な位置に滴下させるように機能するが、このガイド壁１１は、突出高さが貫通孔１２ａ，１２ｂの形成位置の付近に向かって漸増するように形成されているため、ダム壁１０やガイド壁１１に付着して下方側に伝った水滴等も排水部１３の位置まで正確に誘導することができる。
【００２０】
また、水受壁９に形成する貫通孔は一つであっても良いが、この実施形態のように複数形成するようにした場合には、貫通孔１２ａ，１２ｂ一つ当たりの面積を大きくすることなく、充分な水量を下方の排水部１３に正確に案内することができる。そして、この実施形態のように、一方の貫通孔１２ａを水受壁９のドア上辺寄り位置に形成し、他方の貫通孔１２ｂをドア側辺寄り位置に形成するようにした場合には、ヒンジ３側から流れ込む水滴を一方の貫通孔１２ａから下方に流し、バックドア本体２の側縁側から前端側に流れ込む水滴を他方の貫通孔１２ｂから下方に流すことができる。
また、この実施形態のように貫通孔１２ａ，１２ｂを長孔状に形成するようにした場合には、表面張力によって水滴の滴下量を容易に制限することができる。
【００２１】
以上は、ドアガラス６の外縁がドアパネル５の外側まで拡大されている場合の実施形態であるが、ドアガラスがドアパネルに対して小さい場合には、例えば、図７，図８に示すようにすることができる。
【００２２】
この実施形態の場合、ドアパネル１０５のスキン１０５ａ側の前面にドアガラス１０６が接着され、ドアパネル１０５のスキン１０５ａとフレーム１０５ｂの接合フランジ１９の下面に帯状のガイド部材１０７が接合されている。ガイド部材１０７は、外形こそ上記のものと異なっているが、上記の実施形態と同様に水受壁９、ダム壁１０、ガイド壁１１を有する断面に形成され、水受壁９には貫通孔１２ａ，１２ｂが形成されている。また、ガイド部材１０７の端末には接合フランジ１９の下面に接合される延長部材２０が接着されている。
【００２３】
なお、この発明は上記実施形態に限定されるものではなく、その要旨を逸脱しない範囲で種々の設計変更が可能である。例えば、ガイド部材は必ずしも樹脂材料によって形成する必要はなく、上記の実施形態と同様の構造をドアパネルに一体に形成することも可能である。また、水受壁のバックドア裏面側に突出するガイド壁は、貫通孔の周縁に沿って形成しても良い。
【図面の簡単な説明】
【００２４】
【図１】この発明の一実施形態を示す車両の背面図。
【図２】同実施形態を示すものであり、バックドアを跳ね上げた状態における図１のＡ矢視方向から見た斜視図。
【図３】同実施形態を示すガイド部材の平面図。
【図４】同実施形態を示す図３のＤ−Ｄ断面に沿う断面図。
【図５】同実施形態を示す図２のＢ矢視図。
【図６】同実施形態を示す図２のＣ矢視図。
【図７】この発明の他の実施形態を示す車両の背面図。
【図８】同実施形態を示す図７のＥ部に相当部分の構成部品の分解斜視図。
【符号の説明】
【００２５】
１…バックドア
２…バックドア本体
４…ドア開口
９…水受壁
１０…ダム壁
１１…ガイド壁
１２ａ，１２ｂ…貫通孔
１３…排水部
【図１】
2006327327.tif 000003
【図２】
2006327327.tif 000004
【図３】
2006327327.tif 000005
【図４】
2006327327.tif 000006
【図５】
2006327327.tif 000007
【図６】
2006327327.tif 000008
【図７】
2006327327.tif 000009
【図８】
2006327327.tif 000010